(57)【要約】      （修正有）【課題】オフィス内あるいは一般家庭内の壁面に取付けて光学的な信号の授受を行う光アダプタのハウジングを回動可能に軸支して取扱い操作性を飛躍的に改善した光コンセントを提供する。【解決手段】壁面に取付ける取付枠体１の裏側に所定の間隔を存して左右一対の支持板４を突成する。この支持板４の上部に光アダプタハウジング５を枢着して光アダプタハウジング５を取付枠体１内において回動可能に軸支する。支持板４に前面に向けて左右一対の支持腕８を突成し、当該支持腕８の内面に形成した係合突条９を光アダプタハウジング５に係合させて通常の使用状態を保持できるようにすると共に、前記支持腕８を左右に拡開して光アダプタハウジング５のロック状態を解除し、光アダプタハウジング５に形成してある凹溝部１０に係合突条を係合させることによって光アダプタハウジング５を所定の角度で保持できるようにした。【選択図】図１
0003132026.tif 000002
【実用新案登録請求の範囲】
【請求項１】
壁面に取付ける取付枠体の裏側に所定の間隔を存して左右一対の支持板を突成し、この支持板の上部に光アダプタハウジングの上部を枢着して光アダプタハウジングを取付枠体内において回動可能に軸支すると共に、前記光アダプタハウジングの枢着位置より下方部の支持板に前面に向けて左右一対の支持腕を突成し、且つ当該支持腕の内面に形成した係合突条を前記光アダプタハウジングに係合させて通常の使用状態を保持できるようにすると共に、前記支持腕を左右に拡開して前記光アダプタハウジングのロック状態を解除し、光アダプタハウジングの左右側板に形成してある凹溝部に前記係合突条を係合させることによって光アダプタハウジングを所定の角度で保持できるように構成したことを特徴とする光コンセント。
【請求項２】
取付枠体に光アダプタハウジングと併せて電話用モジュラージャックブロックをセットできるようになした請求項１記載の光コンセント。
【考案の詳細な説明】
【技術分野】
【０００１】
本考案はオフィス内あるいは一般家庭内に設置される各種通信機器類を接続するための光コンセントに係り、特に壁面に取付けて光学的な信号の授受を行う光アダプタのハウジングを回動可能に軸支して取扱い操作性を飛躍的に改善した光コンセントに関する。
【背景技術】
【０００２】
情報通信の高速化、情報量の増大に加え、最近では双方向通信と大容量通信の光ネットワークの構築が進展し、通信事業者と各端末を直接光ケーブルで結ぶ高速通信サービスも行われるようになってきている。このため、従来の金属線を用いた電話回線に加えて光ケーブルを用いた通信回線の使用が増えてきている。
【０００３】
従来、電源線、電話線、ＴＶ信号線等は壁面に取付けられたコンセントないしアウトレットを利用して各種機器類を接続するようにしている。光ケーブルが新たな情報通信手段として取り入れられた場合においても、このようなコンセントないしアウトレットを用いて各種情報機器類との接続が簡単に行えるようにすることが望ましい。
【０００４】
そのため、次に示す特許文献にも示されているように、一般住居等の壁面に取付けて各種端末機器類を接続できるようにした光コンセントが提案されている。
【特許文献１】特開平９−１２７３６９公報
【考案の開示】
【考案が解決しようとする課題】
【０００５】
前記特許文献１に示された光コンセントは、建造物に固定される函と、この函の壁面を貫通して導入される第一の光ファイバケーブルに接続される第二の光ファイバケーブルと、この二つの光ファイバケーブルの各端部を相互に接続する第一の接続手段と、前記函の正面にネジ止めされる取付け枠と、この取付け枠を覆う表面板と、前記取付け枠に固着された第二の接続手段とを備え、この第二の接続手段に前記第二の光ファイバケーブルの他端部が接続され、この第二の接続手段は端末機器に導入される第三の光ファイバケーブルが着脱自在に接続される構造となっている。
【０００６】
このように、特許文献１に示されたコンセントにおいては、端末機器に接続される第三の光ファイバケーブルが着脱自在に接続される第二の接続手段は取付け枠に固着された状態となっていて、取付け枠を函の上下部分においてネジ止めする際に光アダプタ等からなる第二の接続手段が障害となって作業に支障を来すという問題点がある。
【０００７】
また、第二の接続手段が取付け枠に固定された状態となっているため建屋の構造体内に配設してある光ファイバケーブルの端末を当該第二の接続手段に接続するに当たっても狭隘なスペース内での作業であるため非常な困難を伴うことが多い。
【０００８】
そこで本考案は、前記した従来の光コンセントの構造上の問題点を解消し、建屋の構造体内に配設してある光ケーブルの端末と、各種情報機器類に接続してある光ケーブルの端末を接続する光アダプタのハウジングを取付枠体内において回動自在に保持し、取付作業時等には当該光アダプタハウジングを回動させて所定の開度で仮止めできるようにして作業性を大幅に改善した光コンセントを提供することを目的とするものである。
【課題を解決するための手段】
【０００９】
上記目的を達成するための本考案の構成を詳述すれば、請求項１に係る考案は、壁面に取付ける取付枠体の裏側に所定の間隔を存して左右一対の支持板を突成し、この支持板の上部に光アダプタハウジングの上部を枢着して光アダプタハウジングを取付枠体内において回動可能に軸支すると共に、前記光アダプタハウジングの枢着位置より下方部の支持板に前面に向けて左右一対の支持腕を突成し、且つ当該支持腕の内面に形成した係合突条を前記光アダプタハウジングに係合させて通常の使用状態を保持できるようにすると共に、前記支持腕を左右に拡開して前記光アダプタハウジングのロック状態を解除し、光アダプタハウジングの左右側板に形成してある凹溝部に前記係合突条を係合させることによって光アダプタハウジングを所定の角度で保持できるように構成したことを特徴とする光コンセントである。
【００１０】
また、請求項２に係る考案は、取付枠体に光アダプタハウジングと併せて電話用モジュラージャックブロックをセットできるようになした請求項１記載の光コンセントである。
【考案の効果】
【００１１】
本考案は上記のように、壁面に取付ける取付枠体に、光アダプタをセットするためのアダプタハウジングを回動可能に取付けたものであり、しかも光アダプタハウジングを所定の角度で保持できるように構成したものであるから、ＳＣ形光プラグの脱着や、取付枠体及びスイッチプレート枠等のネジ止め作業を何ら支障なく円滑に行なうことができる。
【考案を実施するための最良の形態】
【００１２】
以下、図面に基づき本考案に係る光コンセントの実施形態を詳細に説明する。
【００１３】
図１は本考案光コンセントの一実施形態を示す分解状態斜視図、図２は取付枠体の裏側の状態を示す斜視図、図３は光アダプタハウジングの左右側板に形成した凹溝部に係合する係合突条の詳細を示す説明図、図４は光アダプタハウジングを係合突条によって仮止めした状態の斜視図、図５は係合突条によって光アダプタハウジングをロック状態にしたときの斜視図、図６は施工手順を示す説明図である。
【００１４】
図中１は射出成形等によって作製された合成樹脂製の取付枠体であり、当該取付枠体１には、図示しない壁内に配設してある光配線箱等の開口部周縁所定箇所に取付枠体１をネジ付けたり、あるいは取付枠体１の周縁部に付設するスイッチプレート枠２等をネジ付けるための複数個の通孔３が設けられている。
【００１５】
４は前記取付枠体１の裏側に所定の間隔を存して突成した左右一対の支持板であり、当該支持板４，４の上部には光アダプタハウジング５の上部に突設した軸６，６を回動可能に枢着するための通孔７，７を穿設してある。この通孔７，７内に光アダプタハウジング５に突設した軸６，６を挿通させることにより、光アダプタハウジング５は取付枠体１内において回動可能な状態になる。
【００１６】
８は前記光アダプタハウジング５の枢着位置より下方部の支持板４，４に前面に向けて突成した左右一対の支持腕であり、この支持腕８，８は前記回動可能な光アダプタハウジング５を所定の角度で仮止めしたり、あるいは通常の使用状態を保持する作用をなす。
【００１７】
すなわち、支持腕８，８の対向する内面側には所要高さの突条９，９を斜行状に突成してあり、この斜行状をなす突条９，９が係合し得る凹溝部１０，１０を光アダプタハウジング５の左右側板に形成してあり、支持腕８，８に突成してある突条９，９を光アダプタハウジング５の凹溝部１０，１０内に係合させることによって、凹溝部の形成範囲内において光アダプタハウジング５を係止することができるのである。
【００１８】
また、壁面への取付けが完了して外側に化粧カバー１１を取付ける際には、前記支持腕８，８の内面側に位置する光アダプタハウジング５を下方に向けて押圧すると、支持腕８，８に突成してある斜行状の突条９，９が光アダプタハウジング５の上面側両隅角部を抑え付けることとなるので光アダプタハウジング５はロックされた状態となる。
【００１９】
光アダプタハウジング５には、標準方式に適合するＳＣ形光コネクタプラグに対応した光アダプタ１２を挿着できるようになっており、当該光アダプタ１２の脱着がスムーズに行なえるよう側面には切欠１３が設けられている。
【００２０】
化粧カバー１１にはロック状態となった光アダプタ１２を挿着したアダプタハウジング５の先端部を覆う接続口部１４が設けられており、当該接続口部１４の先端開口部には塵埃の侵入を防ぐための開閉自在なシャッター蓋１５が設けられている。
【００２１】
その他、図中の１６は取付枠体１の上部に設けられた開口であり、当該開口１６には電話用モジュラージャックブロック１７が嵌着されるようになっている。
【００２２】
次に、図６に基づき本考案光コンセントの施工手順を説明する。
【００２３】
先ず、図６（ａ）に示すように、取付枠体１内において回動自在となっている光アダプタハウジング５を回動させて支持腕８，８に突成してある突条９，９を光アダプタハウジング５の凹溝部１０，１０内に係合させ、垂直状をなす取付枠体１に対して大きな開度が得られる位置にて光アダプタハウジング５を仮止めする。この状態でＳＣ形光コネクタプラグ２０を光アダプタハウジング５内に挿入して内部の光アダプタ１２に接続する。
【００２４】
次に、この仮止め状態において、図示しない既設の光配線箱等の開口部周縁所定箇所に、適宜工具１８を用いて図６（ｂ）に示すように、取付枠体１をネジ付ける。光アダプタハウジング５は取付枠体１に対して大きな開度が得られる位置にて仮止めしてあるので、ネジ付け作業に支障を来すことなく円滑に作業を行なえる。
【００２５】
取付枠体１の取付け終了後、図６（ｃ）に示すように、取付枠体１の周縁部を覆うようにスイッチプレート枠２をネジ止める。この作業も光アダプタハウジング５を上に持ち上げた状態で仮止めしてあるのでスムーズに行なうことができる。
【００２６】
次に、支持板４，４に突設してある支持腕８，８の内面側に突設してある突条９，９を光アダプタハウジング５の凹溝部１０，１０から外して、当該突条９，９を、図６（ｄ）に示すように、光アダプタハウジング５の上面側両隅角部に当接させて光アダプタハウジング５をロック状態にする。
【００２７】
光アダプタハウジング５のロック状態を維持したまま、図６（ｅ）に示すように美麗な表面を有する化粧カバー１１を前記スイッチプレート枠２の周縁部に嵌着する。化粧カバー１１の下端部に形成されている接続口部１４のところには、通信機器類に接続されている光ケーブルの端末の図示しないコネクタ類を挿着する光アダプタ１２の接続口が臨むようになっているが、不使用時にはシャッターによって覆われるため、塵埃等の侵入を防ぐことができる。次いで、化粧カバー１１の外周縁に、図６（ｆ）に示すようにスイッチプレート１９を嵌着することにより取付け作業を終了する。
【００２８】
このように、本考案光コンセントによれば、壁面への取付けを簡単に行なうことができると共に、配線替えのときも前記手順と逆にスイッチプレート１９と化粧カバー１１を外し、支持腕８，８を指で拡開して光アダプタハウジング５のロック状態を解除し、突条９，９を光アダプタハウジング５の凹溝部１０，１０内に係合させれば仮止めすることができ作業を円滑に実施することができる。また、電話用モジュラージャックブロック１７を取付枠体１に取付けた場合には、光コンセントとして使用できる他、電話用のアウトレットとしても利用することができ使用勝手の甚だ良好な光コンセントとなる。
【図面の簡単な説明】
【００２９】
【図１】本考案光コンセントの一実施形態を示す分解状態斜視図である。
【図２】取付枠体の裏側の状態を示す斜視図である。
【図３】光アダプタハウジングの左右側板に形成した凹溝部に係合する係合突条の詳細を示す説明図である。
【図４】光アダプタハウジングを係合突条によって仮止めした状態の斜視図である。
【図５】係合突条によって光アダプタハウジングをロックしたときの斜視図である。
【図６】光コンセントの施工手順を示す説明図である。
【符号の説明】
【００３０】
１：取付枠体
２：スイッチプレート枠
３：通孔
４：支持板
５：光アダプタハウジング
６：軸
７：通孔
８：支持腕
９：突条
１０：凹溝部
１１：化粧カバー
１２：光アダプタ
１３：切欠
１４：接続口部
１５：シャッター
１６：開口
１７：電話用モジュラージャックブロック
１８：工具
１９：スイッチプレート
２０：光コネクタプラグ
【図１】
0003132026.tif 000003
【図２】
0003132026.tif 000004
【図３】
0003132026.tif 000005
【図４】
0003132026.tif 000006
【図５】
0003132026.tif 000007
【図６】
0003132026.tif 000008